【手続補正書】
【提出日】平成18年10月4日(2006.10.4)
【手続補正１】
【補正対象書類名】明細書
【補正対象項目名】特許請求の範囲
【補正方法】変更
【補正の内容】
【特許請求の範囲】
【請求項１】  セルラ通信システムにおいて電池を電源とする移動局を動作させる方法であって、
前記移動局の動作に関連する１つ以上の条件を検出し、
前記検出された１つ以上の条件に基づいて、前記移動局が自動的に低電力モードを離れ高電力モードに移行する時刻を確立するために用いる可変ウェイクアップパラメータ値を決定し、
前記確立された時刻にウェイクアップし、
前記１つ以上の条件は前記移動局により送信される単位時間当りのデータ量を含み、データ量が大きい場合には、前記可変ウェイクアップパラメータ値が変化させられて移動局がウェイクアップする頻度が高くなるようにし、或いは、データ量が小さい場合には、前記可変ウェイクアップパラメータ値が変化させられて移動局がウェイクアップする頻度を低くすることを特徴とする方法。
【請求項２】  さらに、前記移動局の可変ウェイクアップパラメータを前記ネットワークに提供して前記移動局との調整された通信を許可することを特徴とする請求項１に記載の方法。
【請求項３】  さらに１つ以上の条件における変化を検出し、
前記変化に応じて前記可変ウェイクアップパラメータの値を変化させることを特徴とする請求項１に記載の方法。
【請求項４】  前記移動局は複数のアクティビティレベルで動作し、
前記検出された変化は前記複数のアクティビティレベルの異なるレベルで動作する移動局を含むことを特徴とする請求項３に記載の方法。
【請求項５】  前記検出された変化は前記１つ以上条件における変化を始める移動局を含む一方、前記移動局は前記複数のアクティビティレベルのただ１つで動作することを特徴とする請求項４に記載の方法。
【請求項６】  前記１つ以上の条件は前記移動局によって現在要求されている或いは申請されたサービスを含み、より小さな遅延を要求する現在のサービスに関しては、移動局がウェイクアップする頻度の低い側の限界が高くなるように前記可変ウェイクアップパラメータ値の範囲が変化させられ、或いは、より大きな遅延を許す現在のサービスに関しては、移動局がウェイクアップする頻度の高い側の限界が低くなるように前記可変ウェイクアップパラメータ値の範囲が変化させられることを特徴とする請求項１に記載の方法。
【請求項７】  前記サービスは最大遅延パラメータを含み、
前記可変ウェイクアップパラメータ値は、前記移動局が前記最大遅延パラメータを越えることなくウェイクアップする頻度を減らすために変化させられることを特徴とする請求項６に記載の方法。
【請求項８】  前記１つ以上の条件は前記移動局のユーザから入力される遅延を含み、より小さな遅延に対しては、前記可変ウェイクアップパラメータ値が変化させられて移動局がウェイクアップする頻度が高くなるようにし、或いは、より大きな遅延に対しては、前記可変ウェイクアップパラメータが変化させられて移動局がウェイクアップする頻度を低くすることを特徴とする請求項１に記載の方法。
【請求項９】  前記１つ以上の条件は前記移動局のユーザから入力される電力節約を含み、より大きな電力節約に対しては、前記可変ウェイクアップパラメータ値が変化させられて移動局がウェイクアップする頻度が低くし、或いは、呼設定の小さくなった遅延に対しては、前記可変ウェイクアップパラメータ値が変化させられて移動局がウェイクアップする頻度を高くすることを特徴とする請求項１に記載の方法。
【請求項１０】  前記１つ以上の条件は現在前記移動局に電力供給している電源のタイプを含み、より寿命の短い電源に対しては、前記可変ウェイクアップサイクルパラメータが変化させられて前記サイクルが大きくし、或いは、より寿命の長い電源に対しては、前記可変ウェイクアップサイクルパラメータが変化させられて前記サイクルを小さくすることを特徴とする請求項１に記載の方法。
【請求項１１】  前記ウェイクアップパラメータは、次の式、Ｓ＝２nに従って計算され、Ｓは、前記移動局が低電力モードにあり、ｎは可変の整数であるときの可変スリープサイクルの期間であることを特徴とする請求項１に記載の方法。
【請求項１２】  Ｍフレームの繰り返し列に分割された通信チャネルを用いて前記基地局と移動局とは通信を行い、ｎ＝０，１，２，……，２log Ｍであることを特徴とする請求項１１に記載の方法。
【請求項１３】  さらに、前記移動局が前記高電力モードに入るとき、次の式、Ｗ＝（ｋＳ）modulo Ｍ に従ってウェイクアップフレーム（Ｗ）を決定し、ｋは整数であることを特徴とする請求項１２に記載の方法。
【請求項１４】  さらに、前記移動局が前記高電力モードに入るとき、次の式、Ｗ＝（Ｆ＋ｋＳ）modulo Ｍ に従ってウェイクアップフレーム（Ｗ）を決定し、Ｆは前記移動局に関連した識別子に基づいて選択された通信チャネルのフレーム番号であることを特徴とする請求項１３に記載の方法。
【請求項１５】  セルラ通信システムにおける電池で動作する移動局を動作させる方法であって、
前記移動局の動作に関連する１つ以上の条件を検出し、
前記検出された１つ以上の条件に基づいて、前記移動局が自動的に低電力モードを離れ高電力モードに移行する時刻を確立するために用いられる可変ウェイクアップパラメータ値を決定し、
前記確立された時刻にウェイクアップし、
前記１つ以上の条件は前記移動局の位置を突き止めるために用いられる異なる手順の１つ、或いは、前記移動局の動作に関連する異なるタイプの無線チャネルの１つを含むことを特徴とする方法。
【請求項１６】  無線アクセスネットワークを用いて１つ以上のコアネットワークと通信することが可能な電池で動作する複数の移動局を有した無線通信システムにおいて用いられる方法であって、
移動局によって現在要求或いは申請されているサービスを決定し、
より短い遅延の必要な現在のサービスに関し、前記移動局がウェイクアップする頻度を高くするために前記移動局についての可変ウェイクアップサイクルパラメータ値を変更するか、或は、より長い遅延を許している現在のサービスに関し、前記移動局がウェイクアップする頻度を低くするために前記可変ウェイクアップサイクルパラメータ値を変更することを特徴とする方法。
【請求項１７】  前記移動局は複数のアクティビティレベルで動作し、さらに、
各アクティビティレベルについて前記移動局についての対応する可変スリープサイクルパラメータの値を格納し、
前記移動局の現在のアクティビティレベルを決定し、
前記決定されたアクティビティレベルに対応する前記可変スリープサイクルパラメータ値を用いて低電力スリープモードの動作から高電力モードの動作へと前記移動局がウェイクアップするときの第１の時間間隔を決定し、
前記第１の時間間隔の間、前記通信チャネルで前記移動局にメッセージを送信することを特徴とする請求項１６に記載の方法。
【請求項１８】  前記移動局が新しいアクティビティレベルに変わるとき、前記方法はさらに、
前記新しいアクティビティレベルに対応した前記可変スリープサイクルパラメータの値を用いて、前記移動局がスリープサイクルからウェイクアップするときの第２の時間間隔を決定することを特徴とする請求項１７に記載の方法。
【請求項１９】  前記移動局が前記現在のアクティビティレベルにあるとき、前記方法はさらに、
前記現在のアクティビティレベルに対応した前記可変スリープサイクルパラメータの値を変更し、
前記変更された可変スリープサイクルパラメータの値を用いて、前記移動局がスリープサイクルからウェイクアップするときの第２の時間間隔を決定することを特徴とする請求項１７に記載の方法。
【請求項２０】  前記移動局は前記可変スリープサイクルパラメータの値を変更することを特徴とする請求項１９に記載の方法。
【請求項２１】  より高いアクティビティに関し、前記可変ウェイクアップサイクルパラメータ値は、前記移動局がウェイクアップする頻度を増すために変更され、或は、より低いアクティビティに関し、前記可変ウェイクアップサイクルパラメータ値は、前記移動局がウェイクアップする頻度を減らすために変更されることを特徴とする請求項１７に記載の方法。
【請求項２２】  さらに最後のデータ送信からの時間が閾値を越えるとき、現在のアクティビティレベルにおける減少を検出し、
前記可変スリープサイクルパラメータ値を大きくすることを特徴とする請求項１７に記載の方法。
【請求項２３】  前記大きくすることの後に、さらに、
データが送信されるとき、前記可変スリープサイクルパラメータ値をデフォルト値にリセットすることを特徴とする請求項２２に記載の方法。
【請求項２４】  前記サービスは最大遅延パラメータを含み、
前記可変ウェイクアップパラメータ値は、前記移動局が前記最大遅延パラメータを越えることなくウェイクアップする頻度を減らすために変化させられることを特徴とする請求項１６に記載の方法。
【請求項２５】  さらに、前記移動局のユーザから入力される遅延を検出し、
より少ない遅延に関し、前記可変ウェイクアップサイクルパラメータ値は、前記移動局がウェイクアップする頻度を増すために変更され、或は、より大きな遅延に関し、前記可変ウェイクアップサイクルパラメータ値は、前記移動局がウェイクアップする頻度を減らすために変更されることを特徴とする請求項１６に記載の方法。
【請求項２６】  さらに、前記移動局のユーザから入力される電力節約を検出し、
より大きな電力節約に対しては、前記可変ウェイクアップサイクルパラメータ値は、前記移動局がウェイクアップする頻度を減らすために変更され、或は、呼設定の小さくなった遅延に対しては、前記可変ウェイクアップサイクルパラメータ値は、前記移動局がウェイクアップする頻度を増やすために変更されることを特徴とする請求項１６に記載の方法。
【請求項２７】  さらに、前記移動局に現在電力を供給している電源のタイプを検出し、
より短い寿命の電源に対しては、前記可変ウェイクアップサイクルパラメータ値は、前記サイクルを長くするために変更され、或は、より長い寿命の電源に対しては、前記可変ウェイクアップサイクルパラメータ値は、前記サイクルを短くするために変更されることを特徴とする請求項１６に記載の方法。
【請求項２８】  前記ウェイクアップパラメータは、次の式、Ｓ＝２nに従って計算され、Ｓは、前記移動局が低電力モードにあり、ｎは可変整数であるときの可変スリープサイクルの期間であることを特徴とする請求項１７に記載の方法。
【請求項２９】  前記通信チャネルは繰り返しフレーム列を含み、
前記第１の時間間隔は１つの前記フレームに対応し、
ｎ＝０，１，２，……，２log Ｍであることを特徴とする請求項２８に記載の方法。
【請求項３０】  さらに、前記移動局が前記高電力モードに入るとき、次の式、Ｗ＝（ｋＳ）modulo Ｍ に従ってウェイクアップフレーム（Ｗ）を決定し、ｋは整数であることを特徴とする請求項２９に記載の方法。
【請求項３１】  さらに、前記移動局が前記高電力モードに入るとき、次の式、Ｗ＝（Ｆ＋ｋＳ）modulo Ｍ に従ってウェイクアップフレーム（Ｗ）を決定し、Ｆは前記移動局に関連した識別子に基づいて選択された通信チャネルのフレーム番号であることを特徴とする請求項２９に記載の方法。
【請求項３２】  前記複数のアクティビティレベルは前記移動局の位置を突き止めるのに用いられる異なる手順に対応し、
前記複数のアクティビティレベルは、
ユーザが前記無線アクセスネットワークに知られた基地局のセルで登録される場合のアクティビティレベルと、
ユーザが前記無線アクセスネットワークに知られた基地局のセルの小さな群で登録される場合のアクティビティレベルと、
ユーザが前記１つ以上のコアネットワークにより知られた基地局のセルの大きな群で登録される場合のアクティビティレベルとを含むことを特徴とする請求項１８に記載の方法。
【請求項３３】  無線アクセスネットワークを用いてコアネットワークと通信し、複数のアクティビティレベルで動作することが可能な電池で動作する複数の移動局を有した無線通信システムにおいて用いられ、前記無線アクセスネットワークによって実行される方法であって、
移動局によって現在要求或いは申請されているサービスを決定し、
各アクティビティレベルについて前記移動局についての対応する可変スリープサイクルパラメータの値を格納し、
前記移動局の現在のアクティビティレベルを決定し、
前記決定されたアクティビティレベルに対応する前記可変スリープサイクルパラメータ値を用いて低電力スリープモードの動作から高電力モードの動作へと前記移動局がウェイクアップするときの時間間隔を決定し、
前記時間間隔の間、前記通信チャネルで前記移動局にメッセージを送信することを特徴とする方法。
【請求項３４】  第１及び第２のコアネットワークと通信可能な電池で動作する複数の移動局を有する無線通信システムにおいて用いられる方法であって、
前記第１のコアネットワークにおける前記複数の移動局の内の１つの移動局についての第１の可変スリープパラメータの値と前記第２のコアネットワークにおける前記１つの移動局についての第２の可変スリープパラメータの値とを格納し、
前記第１及び第２の可変スリープパラメータの値の１つ或いは両方を考慮して前記１つの移動局が低電力スリープモードの動作から高電力モードの動作へとウェイクアップするときの第１の時間間隔を決定し、
前記第１の時間間隔の間、前記コアネットワークの１つから通信チャネルで前記１つの移動局にメッセージを送信することを特徴とする方法。
【請求項３５】  前記格納では、前記１つの移動局についての移動局識別子と前記第１及び第２のコアネットワークの両方における前記１つの移動局についての前記第１及び第２の可変スリープパラメータの値の内の対応するものを格納することを特徴とする請求項３４に記載の方法。
【請求項３６】  さらに、前記１つの移動局において前記１つの移動局の識別子と前記１つの移動局についての前記第１及び第２の可変スリープパラメータの値とを格納することを特徴とする請求項３５に記載の方法。
【請求項３７】  前記第１及び第２の可変スリープパラメータの値が選択されて前記第１の可変スリープパラメータの値に対して決定される第１の時間間隔と前記第２の可変スリープパラメータの値に対して決定される第２の時間間隔とが同期されることを特徴とする請求項３４に記載の方法。
【請求項３８】  前記第１及び第２の時間間隔は２のべき乗として定義されることを特徴とする請求項３７に記載の方法。
【請求項３９】  前記第１及び第２の時間間隔は、Ｓ１が前記１つの移動局が低電力モードにあるときの前記第１の時間間隔であり、ｎ１は前記第１の可変スリープパラメータに対応する整数であるとしたとき、Ｓ１＝２n1に従って計算され、また、Ｓ２は前記１つの移動局が低電力モードにあるときの前記第２の時間間隔であり、ｎ２は前記第２の可変スリープパラメータに対応する整数であるとしたとき、Ｓ２＝２n2に従って計算されることを特徴とする請求項３７に記載の方法。
【請求項４０】  前記通信チャネルは一連のＭ個の繰り返しフレームを含み、ｎ1＝０，１，２，……，２log Ｍであり、n2＝０，１，２，……，２log Ｍであることを特徴とする請求項３９に記載の方法。
【請求項４１】  さらに、前記移動局が前記高電力モードに入るとき、次の式、即ち、
もし、n1≦n2であれば、Ｗ＝（ｋ２n1）modulo Ｍ、ｋは整数、或いは
もし、n2＜n1であれば、Ｗ＝（ｋ２n2）modulo Ｍ、ｋは整数
に従ってウェイクアップフレーム（Ｗ）を決定することを特徴とする請求項４０に記載の方法。
【請求項４２】  前記通信チャネルは一連のＭ個の繰り返しフレームを含み、ｎ1＝０，１，２，……，２log Ｍであり、n2＝０，１，２，……，２log Ｍであり、
さらに、前記移動局が前記高電力モードに入るとき、次の式、即ち、
もし、n1≦n2であれば、Ｗ＝（Ｆ＋ｋ２n1）modulo Ｍ、そして、
もし、n2＜n1であれば、Ｗ＝（Ｆ＋ｋ２n2）modulo Ｍ に従ってウェイクアップフレーム（Ｗ）を決定し、ｋは整数、Ｆは前記移動局に関連した識別子に基づいて選択された前記通信チャネルのフレーム番号であることを特徴とする請求項４０に記載の方法。
【請求項４３】  Ｍ個のフレームの繰り返し列でメッセージが通信される通信チャネルにより通信を行なう電池を電源とする移動局を動作させる方法であって、
前記移動局が低電力消費モードであるときの可変スリープサイクル（Ｓ）を決定し、
前記移動局が前記低電力消費モードのスリープサイクルを離れ、高電力のウェイクアップモードに入るときのウェイクアップタイム（Ｗ）を決定し、
Ｓ＝２nであり、
ｎは前記移動局により決定される可変の整数であり、
Ｗ＝（ｋＳ）modulo Ｍ であり、
ｋは整数であることを特徴とする方法。
【請求項４４】  Ｗはさらに、Ｗ＝（Ｆ＋ｋＳ）modulo Ｍに従って決定され、
Ｆは前記移動局に関連した識別子に基づいて選択された前記通信チャネルのフレーム番号であることを特徴とする請求項４３に記載の方法。
【請求項４５】  請求項１６乃至４２のいずれかに記載の方法を実施するために適合されたセルラ通信システムにおいて用いられるネットワークノード。
【請求項４６】  請求項１乃至３２、請求項４３、及び請求項４４のいずれかに記載の方法を実施するために適合されたセルラ通信システムにおいて用いられる移動局。